(57)【特許請求の範囲】
【請求項１】
式（Ｉ）：
【化１】
0003625866.tif 000011
（式中、Ｒ1 は、Ｃ1 −Ｃ8 アルキル、フェニル又は１から３個のＣ1 −Ｃ4 アルキル若しくはＣ1 −Ｃ4 アルコキシ基で置換されたフェニルであり、Ｒ2 は、式（II）：
【化２】
0003625866.tif 000012
（式中、Ｒ12は、部分的又は完全にフッ素化されたＣ1 −Ｃ5 アルキルであり、Ｒ13は、Ｃ1 −Ｃ4 アルキル、Ｃ1 −Ｃ4 アルコキシ、−ＳｉＲ4 Ｒ5 Ｒ6 、ハロゲン、−ＳＯ3 Ｍ、−ＣＯ2 Ｍ、−ＰＯ3 Ｍ、−ＮＲ7 Ｒ8 又は−〔 +ＮＲ7 Ｒ8 Ｒ9 〕Ｘ- であり、ｍは、１から３の整数であり、ｎは、０又は１から４の整数であり、そしてｍ＋ｎの合計は、１から５である）で示される基であり、Ｒ3 、Ｒ10及びＲ11は、それぞれ互いに独立して、Ｒ2 と同義であるか、或はそれぞれ互いに独立して、Ｃ1 −Ｃ12アルキル、Ｃ5 −Ｃ12シクロアルキル、フェニル、又はＣ1 −Ｃ4 アルキル−若しくはＣ1 −Ｃ4 アルコキシ−置換Ｃ5 −Ｃ12シクロアルキル、或はＣ1 −Ｃ4 アルキル、Ｃ1 −Ｃ4 アルコキシ、−ＳｉＲ4 Ｒ5 Ｒ6 、ハロゲン、−ＳＯ3 Ｍ、−ＣＯ2 Ｍ、−ＰＯ3 Ｍ、−ＮＲ7 Ｒ8 及び−〔+ ＮＲ7 Ｒ8 Ｒ9 〕Ｘ- からなる群より選ばれる１から３個の同一若しくは異なる基で置換されたフェニル基であり、Ｒ4 、Ｒ5 及びＲ6 は、それぞれ互いに独立して、Ｃ1 −Ｃ12アルキル又はフェニルであり、Ｒ7 及びＲ8 は、水素、Ｃ1 −Ｃ12アルキル若しくはフェニルであるか、又はＲ7 とＲ8 は、一緒になって、テトラメチレン、ペンタメチレン、又は３−オキサ−１，５−ペンチレンであり、Ｒ9 は、水素又はＣ1 −Ｃ4 アルキルであり、Ｍは、水素又はアルカリ金属であり、Ｘ- は、一塩基酸のアニオンであり、そして＊は、立体異性炭素原子である）で示される、ラセミ体若しくはそのジアステレオマーの形態又はジアステレオマー混合物の形態の化合物（但し、｛（Ｒ）−１−［（Ｓ）−２−（ジフェニルホスフィノ）フェロセニル］｝エチル  ビス（４−トリフルオロメチルフェニル）ホスフィンを除く）。
【請求項２】
アルキルとしてのＲ1 が、直鎖状である請求項１記載の式（Ｉ）の化合物。
【請求項３】
Ｒ1 が、Ｃ1 −Ｃ4 アルキルである請求項２記載の式（Ｉ）の化合物。
【請求項４】
Ｒ1 が、メチル又はエチルである請求項３記載の式（Ｉ）の化合物。
【請求項５】
Ｒ1 が、フェニル、或は１若しくは２個の、Ｃ1 −Ｃ4 アルキル基又はＣ1 −Ｃ4 アルコキシ基で置換されたフェニルである請求項１記載の式（Ｉ）の化合物。
【請求項６】
Ｒ3 、Ｒ10及びＲ11が、Ｃ1 −Ｃ8 アルキルである請求項１記載の式（Ｉ）の化合物。
【請求項７】
シクロアルキルとしての、Ｒ3 、Ｒ10及びＲ11が、５から８個の環員炭素原子を有する請求項１記載の式（Ｉ）の化合物。
【請求項８】
シクロアルキルとしての、Ｒ3 、Ｒ10及びＲ11が、シクロペンチル又はシクロヘキシルである請求項７記載の式（Ｉ）の化合物。
【請求項９】
Ｒ3 、Ｒ10及びＲ11が、フェニル、２−メチルフェン−１−イル、３−メチルフェン−１−イル、４−メチルフェン−１−イル、２−若しくは４−エチルフェン−１−イル、２−若しくは４−イソプロピルフェン−１−イル、２−若しくは４−ｔｅｒｔ−ブチルフェン−１−イル、２−メトキシフェン−１−イル、３−メトキシフェン−１−イル、４−メトキシフェン−１−イル、２−若しくは４−エトキシフェン−１−イル、４−トリメチルシリルフェン−１−イル、２−若しくは４−フルオロフェン−１−イル、２，４−ジフルオロフェン−１−イル、２−若しくは４−クロロフェン−１−イル、２，４−ジクロロフェン−１−イル、２，４−ジメチルフェン−１−イル、３，５−ジメチルフェン−１−イル、２−メトキシ−４−メチルフェン−１−イル、３，５−ジメチル−４−メトキシフェン−１−イル、３，５−ジメチル−４−（ジメチルアミノ）フェン−１−イル、２−若しくは４−アミノフェン−１−イル、２−若しくは４−メチルアミノフェン−１−イル、２−若しくは４−（ジメチルアミノ）フェン−１−イル、２−若しくは４−ＳＯ3 Ｈ−フェン−１−イル、２−若しくは４−ＳＯ3 Ｎａ−フェン−１−イル、２−若しくは４−〔+ ＮＨ3 Ｃｌ- 〕フェン−１−イル、２，４，６−トリメチルフェン−１−イル又は３，４，５−トリメチルフェン−１−イルである請求項１記載の式（Ｉ）の化合物。
【請求項１０】
Ｒ12が、Ｃ1 −Ｃ3 パーフルオロアルキルである請求項１に記載の式（Ｉ）の化合物。
【請求項１１】
Ｒ13が、Ｃ1 −Ｃ4 アルキル又はＣ1 −Ｃ4 アルコキシである請求項１記載の式（Ｉ）の化合物。
【請求項１２】
Ｒ12が、４−トリフルオロメチル又は３，５−ビス（トリフルオロメチル）である請求項１記載の式（Ｉ）の化合物。
【請求項１３】
Ｒ3 、Ｒ10及びＲ11が、同一であり、かつフェニル、シクロヘキシル、ｔｅｒｔ−ブチル、２−若しくは４−メチルフェン−１−イル、２−若しくは４−メトキシフェン−１−イル、２−若しくは４−（ジメチルアミノ）フェン−１−イル、３，５−ジメチル−４−（ジメチルアミノ）フェン−１−イル又は３，５−ジメチル−４−メトキシフェン−１−イルである請求項１に記載式（Ｉ）の化合物。
【請求項１４】
Ｒ2 及びＲ3 が、同一置換基であり、かつ式（II）の基であり、そしてＲ10及びＲ11が、同一置換基であり、かつフェニル、シクロヘキシル、ｔｅｒｔ−ブチル、２−若しくは４−メチルフェン−１−イル、２−若しくは４−メトキシフェン−１−イル、２−若しくは４−（ジメチルアミノ）フェン−１−イル、３，５−ジメチル−４−（ジメチルアミノ）フェン−１−イル又は３，５−ジメチル−４−メトキシフェン−１−イルである請求項１記載の式（Ｉ）の化合物。
【請求項１５】
Ｒ2 及びＲ3 が、同一置換基であり、かつ式（II）の基であり、Ｒ10が、フェニルであり、そしてＲ11が、シクロヘキシル、２−若しくは４−メチルフェン−１−イル、２−若しくは４−メトキシフェン−１−イル、４−（ジメチルアミノ）フェン−１−イル、３，５−ジメチル−４−（ジメチルアミノ）フェン−１−イル、３，５−ジメチル−４−メトキシフェン−１−イル又は４−ｔｅｒｔ−ブチルフェン−１−イルである請求項１記載の式（Ｉ）の化合物。
【請求項１６】
Ｒ1 が、メチルであり、Ｒ2 及びＲ3 が、同一であり、かつ式（II）の基であり、そしてＲ10及びＲ11が、同一置換基であり、かつフェニル又はシクロヘキシルである請求項１記載の式（Ｉ）の化合物。
【請求項１７】
Ｒ2 、Ｒ3 、Ｒ10及びＲ11が、同一であり、かつ式（II）の基である請求項１記載の式（Ｉ）の化合物。
【請求項１８】
Ｒ1 が、メチルであり、Ｒ2 、Ｒ3 、Ｒ10及びＲ11が、同一であり、かつ式（II）の基であり、Ｒ12が、４−トリフルオロメチル又は３，５−ジ（トリフルオロメチル）であり、そしてｎが、０である請求項１記載の式（Ｉ）の化合物。
【請求項１９】
Ｒ1 が、メチルであり、Ｒ2 及びＲ3 が、同一であり、かつ式（II）の基であり、Ｒ10及びＲ11が、フェニルであり、Ｒ12が、４−トリフルオロメチル又は３，５−ジ（トリフルオロメチル）であり、そしてｎが、０である請求項１記載の式（Ｉ）の化合物。
【請求項２０】
｛（Ｒ）−１−〔（Ｓ）−２−（ジフェニルホスフィノ）フェロセニル〕｝エチル  ビス（３，５−ビス（トリフルオロメチル）フェニル）ホスフィン、
｛（Ｒ）−１−〔（Ｓ）−２−ビス（４−トリフルオロメチルフェニル）ホスフィノ）フェロセニル〕｝エチル  ビス（４−トリフルオロメチルフェニル）ホスフィン、及び
｛（Ｒ）−１−〔（Ｓ）−２−ビス（３，５−ジメチルフェニル）ホスフィノ）フェロセニル〕｝エチル  ビス（３，５−ビス（トリフルオロメチル）フェニル）ホスフィンからなる群より選ばれる請求項１記載の式（Ｉ）の化合物。
【請求項２１】
請求項１記載の式（Ｉ）の化合物を製造する方法であって、
式（III ）：
【化３】
0003625866.tif 000013
（式中、Ｒ1 、Ｒ10、Ｒ11及び＊は、請求項１記載の式（Ｉ）と同義である）で示される化合物を、不活性溶媒の存在下で、室温又は上昇した温度で、式（IV）：
【化４】
0003625866.tif 000014
（式中、Ｒ2 及びＲ3 は、請求項１と同義である）で示されるホスフィンと反応させるか、又は式（VII ）：
【化５】
0003625866.tif 000015
（式中、Ｒ1 、Ｒ10、Ｒ11及び＊は、請求項１記載の式（Ｉ）と同義である）で示される化合物を、不活性溶媒存在下で、室温又は上昇した温度で、式（IV）：
【化６】
0003625866.tif 000016
（式中、Ｒ2 及びＲ3 は請求項１と同義である）で示されるホスフィンと反応させることを特徴とする方法。
【請求項２２】
式（Ｖ）又は式（VI）：
【化７】
0003625866.tif 000017
（式中、Ｘ1 は、２個のＣ2 −Ｃ12オレフィン又はＣ5 −Ｃ12ジエンであり、Ｚは、Ｃｌ、Ｂｒ又はＩであり、Ａ1 - は、酸素酸又は錯体酸のアニオンであり、Ｍ1 は、Ｒｈ又はＩｒであり、そしてＹは、請求項１記載の式（Ｉ）の化合物である）で示される錯体。
【請求項２３】
式（VI）の錯体である請求項２２記載の錯体。
【請求項２４】
Ｘ1 が、２個のエチレン、１，５−ヘキサジエン、１，５−シクロオクタジエン又はノルボルナジエンである請求項２２記載の錯体。
【請求項２５】
Ｚが、Ｃｌ又はＢｒである請求項２２記載の錯体。
【請求項２６】
Ｚが、ＣｌＯ4 - 、ＦＳＯ3 - 、ＣＨ3 ＳＯ3 - 、ＣＦ3 ＳＯ3 - 、ＢＦ4 - 、ＰＦ6 - 、ＳｂＣｌ6 - 、ＡｓＦ6 - 、ＳｂＦ6 - からなる群より選ばれる基である請求項２２記載の錯体。
【請求項２７】
アルキル基としてのＲ1 が、直鎖状である請求項２２記載の錯体。
【請求項２８】
Ｒ1 が、Ｃ1 −Ｃ4 アルキルである請求項２７記載の錯体。
【請求項２９】
Ｒ1 が、メチル又はエチルである請求項２８記載の錯体。
【請求項３０】
Ｒ1 が、フェニル、或は１若しくは２個の、Ｃ1 −Ｃ4 アルキル又はＣ1 −Ｃ4 アルコキシで置換されたフェニルである請求項２２記載の錯体。
【請求項３１】
Ｒ3 、Ｒ10及びＲ11が、Ｃ1 −Ｃ8 アルキルである請求項２２記載の錯体。
【請求項３２】
シクロアルキル基としてのＲ3 、Ｒ10及びＲ11が、５から８個の環員炭素原子を有する請求項２２記載の錯体。
【請求項３３】
シクロアルキル基としてのＲ3 、Ｒ10及びＲ11が、シクロペンチル又はシクロヘキシルである請求項２２記載の錯体。
【請求項３４】
Ｒ3 、Ｒ10及びＲ11が、フェニル、２−メチルフェン−１−イル、３−メチルフェン−１−イル、４−メチルフェン−１−イル、２−若しくは４−エチルフェン−１−イル、２−若しくは４−イソプロピルフェン−１−イル、２−若しくは４−ｔｅｒｔ−ブチルフェン−１−イル、２−メトキシフェン−１−イル、３−メトキシフェン−１−イル、４−メトキシフェン−１−イル、２−若しくは４−エトキシフェン−１−イル、４−トリメチルシリルフェン−１−イル、２−若しくは４−フルオロフェン−１−イル、２，４−ジフルオロフェン−１−イル、２−若しくは４−クロロフェン−１−イル、２，４−ジクロロフェン−１−イル、２，４−ジメチルフェン−１−イル、３，５−ジメチルフェン−１−イル、２−メトキシ−４−メチルフェン−１−イル、３，５−ジメチル−４−メトキシフェン−１−イル、３，５−ジメチル−４−（ジメチルアミノ）フェン−１−イル、２−若しくは４−アミノフェン−１−イル、２−若しくは４−メチルアミノフェン−１−イル、２−若しくは４−（ジメチルアミノ）フェン−１−イル、２−若しくは４−ＳＯ3 Ｈ−フェン−１−イル、２−若しくは４−ＳＯ3 Ｎａ−フェン−１−イル、２−若しくは４−〔+ ＮＨ3 Ｃｌ- 〕フェン−１−イル、２，４，６−トリメチルフェン−１−イル又は３，４，５−トリメチルフェン−１−イルである請求項２２記載の錯体。
【請求項３５】
Ｒ12が、Ｃ1 −Ｃ3 パーフルオロアルキルである請求項２２記載の錯体。
【請求項３６】
Ｒ13が、Ｃ1 −Ｃ4 アルキル又はＣ1 −Ｃ4 アルコキシである請求項２２記載の錯体。
【請求項３７】
Ｒ12が、４−トリフルオロメチル又は３，５−ビス（トリフルオロメチル）である請求項２２記載の錯体。
【請求項３８】
Ｒ3 、Ｒ10及びＲ11が、同一であり、かつフェニル、シクロヘキシル、ｔｅｒｔ−ブチル、２−若しくは４−メチルフェン−１−イル、２−若しくは４−メトキシフェン−１−イル、２−若しくは４−（ジメチルアミノ）フェン−１−イル、３，５−ジメチル−４−（ジメチルアミノ）フェン−１−イル又は３，５−ジメチル−４−メトキシフェン−１−イルである請求項２２記載の錯体。
【請求項３９】
Ｒ2 及びＲ3 が、同一置換基であり、かつ式（II）の基であり、そしてＲ10及びＲ11が、同一置換基であり、かつフェニル、シクロヘキシル、ｔｅｒｔ−ブチル、２−若しくは４−メチルフェン−１−イル、２−若しくは４−メトキシフェン−１−イル、２−若しくは４−（ジメチルアミノ）フェン−１−イル、３，５−ジメチル−４−（ジメチルアミノ）フェン−１−イル又は３，５−ジメチル−４−メトキシフェン−１−イルである請求項２２記載の錯体。
【請求項４０】
Ｒ2 及びＲ3 が、同一置換基であり、かつ式（II）の基であり、Ｒ10が、フェニルであり、そしてＲ11が、シクロヘキシル、２−若しくは４−メチルフェン−１−イル、２−若しくは４−メトキシフェン−１−イル、４−（ジメチルアミノ）フェン−１−イル、３，５−ジメチル−４−（ジメチルアミノ）フェン−１−イル、３，５−ジメチル−４−メトキシフェン−１−イル又は４−ｔｅｒｔ−ブチルフェン−１−イルである請求項２２記載の錯体。
【請求項４１】
Ｒ1 が、メチルであり、Ｒ2 及びＲ3 が、同一であり、かつ式（II）の基であり、そしてＲ10及びＲ11が同一置換基であり、かつフェニル又はシクロヘキシルである請求項２２記載の錯体。
【請求項４２】
Ｒ2 、Ｒ3 、Ｒ10及びＲ11が、同一であり、かつ式（II）の基である請求項２２記載の錯体。
【請求項４３】
Ｒ1 が、メチルであり、Ｒ2 、Ｒ3 、Ｒ10及びＲ11が同一であり、かつ式（II）の基あり、Ｒ12が、４−トリフルオロメチル又は３，５−ビス（トリフルオロメチル）であり、そしてｎが、０である請求項２２記載の錯体。
【請求項４４】
Ｒ1 が、メチルであり、Ｒ2 及びＲ3 が、同一であり、かつ式（II）の基であり、Ｒ10及びＲ11が、フェニルであり、Ｒ12が、４−トリフルオロメチル又は３，５−ビス（トリフルオロメチル）であり、そしてｎが、０である請求項２２記載の錯体。
【請求項４５】
Ｙが、｛（Ｒ）−１−〔（Ｓ）−２−（ジフェニルホスフィノ）フェロセニル〕｝エチル  ビス（３，５−ビス（トリフルオロメチル）フェニル）ホスフィン、
｛（Ｒ）−１−〔（Ｓ）−２−ビス（４−トリフルオロメチルフェニル）ホスフィノ）フェロセニル〕｝エチル  ビス（４−トリフルオロメチルフェニル）ホスフィン、及び
｛（Ｒ）−１−〔（Ｓ）−２−ビス（３，５−ジメチルフェニル）ホスフィノ）フェロセニル〕｝エチル  ビス（３，５−ビス（トリフルオロメチル）フェニル）ホスフィンからなる群から選ばれる請求項２２記載の錯体。
【請求項４６】
炭素二重結合又は炭素／ヘテロ原子二重結合を有するプロキラルな化合物を不斉水素化するための均一系触媒としての請求項２２記載の式（Ｖ）又は式（VI）の錯体の使用方法。
【請求項４７】
不斉炭素二重結合、ケチミン又はケトンを水素化するための請求項４６記載の使用方法。
【請求項４８】
式（Ｖ）又は式（VI）のロジウム錯体で不斉炭素二重結合を水素化するための請求項４６記載の使用方法。
【請求項４９】
均一系反応条件下で、炭素二重結合又は炭素／ヘテロ原子二重結合を有する化合物を不斉水素化する方法であって、
請求項１９記載の式（Ｖ）又は式（VI）の錯体の触媒量の存在下で、温度範囲−２０から＋８０℃、水素圧１０4 から１０7 Paで、該化合物を水素化することを特徴とする方法。
【請求項５０】
水素圧が、１０5 から６×１０6 Paである請求項４９記載の方法。
【請求項５１】
温度範囲が、−１０から＋５０℃である請求項４９記載の方法。
【請求項５２】
水素化するべき化合物（基質）の、式（Ｖ）又は式（VI）の錯体に対するモル比が、１０００００から２０となるように、触媒量を選ぶ請求項４９記載の方法。
【請求項５３】
溶媒の存在下で反応を行う請求項４９記載の方法。
【請求項５４】
溶媒が、メタノール、又はメタノール及びベンゼン若しくはトルエンの混合溶媒である請求項４９記載の方法。
【発明の詳細な説明】
【０００１】
【産業上の利用分野】
本発明は、ラセミ体及び立体異性体の形態での１−〔２−（ホスフィノ）フェロセニル〕アルキリデンホスフィン、これらの製造の方法、これらの配位子を有するイリジウム錯体及びロジウム錯体、及びプロキラル不飽和化合物を均一水素化するためのエナンチオ選択的水素化触媒としてのその用途に関する。
【０００２】
【従来の技術及び発明が解決しようとする課題】
Ｔ．Ｈａｙａｓｈｉ  らは、Ｂｕｌｌ．Ｃｈｅｍ．Ｓｏｃ．Ｊｐｎ．，５３，ｐｐ．１１３６−１１５１  に、不斉合成用の遷移金属錯体の配位子としてのキラルなフェロセニルホスフィン、すなわち〔（Ｒ）−〔（Ｓ）−２−（ジフェニルホスフィノ）フェロセニル〕エチル〕ジフェニルホスフィンの合成について、記載している。これらの化合物の用途は、記載されていない。
【０００３】
これまでに、フルオロアルキル置換の１−〔２−（ホスフィノ）フェロセニル〕アルキリデンホスフィンが不斉水素化のための有効な触媒であること、及びまた短い反応時間で高いエナンチオ選択性が達成できることが、見いだされた。さらに、これらの化合物の利点は、これらから合成されるロジウム錯体、特にイリジウム錯体の失活傾向がほんのわずかであり、そのために水素化反応を上昇した温度で行うことができ、その結果、より大きな触媒生産性を得ることができるということである。
【０００４】
【課題を解決するための手段】
その特徴の一つとして、本発明は、式（Ｉ）：
【０００５】
【化８】
0003625866.tif 000002
【０００６】
（式中、Ｒ１  は、Ｃ１  −Ｃ８  アルキル、フェニル、又は１から３個のＣ１  −Ｃ４  アルキル若しくはＣ１  −Ｃ４  アルコキシで置換されたフェニル基であり、Ｒ２  は、式（ＩＩ）：
【０００７】
【化９】
0003625866.tif 000003
【０００８】
（式中、Ｒ１２は、部分的又は完全にフッ素化されたＣ１  −Ｃ５  アルキルであり、Ｒ１３は、Ｃ１  −Ｃ４  アルキル、Ｃ１  −Ｃ４  アルコキシ、−ＳｉＲ４  Ｒ５  Ｒ６  、ハロゲン、−ＳＯ３  Ｍ、−ＣＯ２  Ｍ、−ＰＯ３  Ｍ、−ＮＲ７  Ｒ８  又は−〔＋  ＮＲ７  Ｒ８  Ｒ９  〕Ｘ−  であり、ｍは、１から３の整数であり、ｎは、０又は１から４の整数であり、そしてｍ＋ｎの合計は、１から５である）で示される基であり、Ｒ３  、Ｒ１０及びＲ１１は、それぞれ互いに独立して、Ｒ２  と同義であるか、或はそれぞれ互いに独立して、Ｃ１  −Ｃ１２アルキル、Ｃ５  −Ｃ１２シクロアルキル、フェニル、又はＣ１  −Ｃ４  アルキル−若しくはＣ１  −Ｃ４  アルコキシ−置換Ｃ５  −Ｃ１２シクロアルキル、或はＣ１  −Ｃ４  アルキル、Ｃ１  −Ｃ４  アルコキシ、−ＳｉＲ４  Ｒ５  Ｒ６  、ハロゲン、−ＳＯ３  Ｍ、−ＣＯ２  Ｍ、−ＰＯ３  Ｍ、−ＮＲ７  Ｒ８  及び−〔＋  ＮＲ７  Ｒ８  Ｒ９  〕Ｘ−  からなる群より選ばれる１から３個の同一若しくは異なる基で置換されたフェニルであり、Ｒ４  、Ｒ５  及びＲ６  は、それぞれ互いに独立して、Ｃ１  −Ｃ１２アルキル又はフェニルであり、Ｒ７  及びＲ８  は、水素、Ｃ１  −Ｃ１２アルキル若しくはフェニルであるか、又はＲ７  とＲ８  は、一緒になって、テトラメチレン、ペンタメチレン又は３−オキサ−１，５−ペンチレンであり、Ｒ９  は、水素又はＣ１  −Ｃ４  アルキルであり、Ｍは、水素又はアルカリ金属であり、Ｘ−  は、一塩基酸のアニオンであり、そして＊は、立体異性炭素原子である）で示される光学異性体若しくはそのジアステレオマーの形態又はジアステレオマーの混合物の形態の化合物に関する。
【０００９】
式（ＩＩ）において、ｍは好ましくは１又は２であり、そしてｎは０、１又は２である。好ましくはｎは０である。
【００１０】
アルキル基と定義されたＲ１  は、直鎖状又は分岐状であってよく、好ましくは１から４個の炭素原子を有している。典型的な例は、メチル、エチル、ｎ−及びイソプロピル、ｎ−、イソ−及びｔｅｒｔ−ブチル、ペンチル、ヘキシル、ヘプチル、並びにオクチルである。メチル及びエチルが好ましく、特にメチルが好ましい。
【００１１】
置換フェニルと定義されたＲ１  は、好ましくは１又は２個の置換基を有している。アルキル置換基は、典型的にはメチル、エチル、ｎ−及びイソプロピル、並びにｎ−、イソ−及びｔｅｒｔ−ブチルであってよい。メチル及びエチルが好ましい。アルコキシ置換基は、メトキシ、エトキシ、ｎ−及びイソプロピル並びにｎ−、イソ−及びｔｅｒｔ−ブトキシであってよい。メトキシ及びエトキシが好ましい。式（Ｉ）の化合物の好適な例の中で、Ｒ１  は、好ましくはフェニル、又は１若しくは２個のＣ１  −Ｃ４  アルキル若しくはＣ１  −Ｃ４  アルコキシで置換されたフェニルである。
【００１２】
アルキルと定義された、Ｒ３  、Ｒ１０及びＲ１１は、直鎖状又は分岐状であってよく、好ましくは１から８個、最も好ましくは１から４個の炭素原子を有している。典型例は、メチル、エチル、ｎ−及びイソプロピル、ｎ−、イソ−及びｔｅｒｔ−ブチル、ペンチル、ヘキシル、ヘプチル、オクチル、ノニル、デシル、ウンデシル、並びにドデシルである。メチル、エチル、ｎ−及びイソプロピル、並びにｎ−、イソ−、及びｔｅｒｔ−ブチルが好ましい。Ｒ２  とＲ３  及び／又はＲ１０とＲ１１が、同一であり、かつアルキルの意味であるとき、それらはイソプロピル又はｔｅｒｔ−ブチルであるのが最も好ましい。
【００１３】
シクロアルキルと定義された、Ｒ３  、Ｒ１０及びＲ１１は、好ましくは５から８個、最も好ましくは５個又は６個の環員炭素原子を有している。シクロアルキルの典型例は、シクロペンチル、シクロヘキシル、シクロヘプチル、シクロオクチル、シクロデシル及びシクロドデシルである。シクロペンチル及びシクロヘキシルが好ましく、シクロヘキシルが特に好ましい。
【００１４】
シクロアルキルは、好都合には１から３個の、アルキル又はアルコキシで置換されていてもよい。このような置換基の例は、上述した通りである。メチルと及びエチルが好ましく、メトキシ及びエトキシも好ましい。置換シクロアルキルは、典型的にはメチル−及びメトキシシクロペンチル、並びにメチル−及びメトキシシクロヘキシルである。
【００１５】
置換フェニルと定義された、Ｒ３  、Ｒ１０及びＲ１１は、好ましくは１又は２個の置換基を有している。フェニルが２又は３個の置換基を有する場合、これらは同一又は異なっていてもよい。
【００１６】
アルキル置換基及びアルコキシ置換基の例は、上述した通りである。フェニルの好適なアルキル置換基及びアルコキシ置換基は、メチル及びエチル並びにメトキシ及びエトキシである。
【００１７】
フェニルの置換基としてのハロゲンは、−Ｆ、−Ｃｌ及び−Ｂｒよりなる群から好適に選択される。
【００１８】
Ｒ４  、Ｒ５  及びＲ６  は、好ましくは１から８個、最も好ましくは１から４個の炭素原子を有する直鎖状あるいは分岐状のものであってよい。アルキル置換基の例は、上述した通りである。好適なアルキルは、メチル、エチル、ｎ−プロピル、ｎ−ブチル及びｔｅｒｔ−ブチルである。置換基：−ＳｉＲ４  Ｒ５  Ｒ６  は、最も好ましくはトリメチルシリルである。
【００１９】
酸フェニル置換基：−ＳＯ３  Ｍ、−ＣＯ２  Ｍ、及び−ＰＯ３  Ｍの中では、−ＳＯ３  Ｍが好ましい。Ｍは、好ましくはＨ、Ｌｉ、Ｎａ及びＫである。
【００２０】
アルキルと定義された、Ｒ７  及びＲ８  は、好ましくは１から６個、最も好ましくは１から４個の炭素原子を有している。アルキルは、直鎖状であるのが好ましい。好適な例は、メチル、エチル、ｎ−プロピル及びｎ−ブチルである。アルキルと定義されたＲ９  は、好ましくはメチルである。
【００２１】
一塩基酸のアニオンとしてのＸ−  は、好ましくはＣｌ−  、Ｂｒ−  又はカルボン酸のアニオンであり、典型的にはホーメート、アセテート、トリクロロアセテート又はトリフルオロアセテートである。
【００２２】
置換フェニル基の代表例は、２−メチルフェン−１−イル、３−メチルフェン−１−イル、４−メチルフェン−１−イル、２−若しくは４−エチルフェン−１−イル、２−若しくは４−イソプロピルフェン−１−イル、２−若しくは４−ｔｅｒｔ−ブチルフェン−１−イル、２−メトキシフェン−１−イル、３−メトキシフェン−１−イル、４−メトキシフェン−１−イル、２−若しくは４−エトキシフェン−１−イル、４−トリメチルシリルフェン−１−イル、２−若しくは４−フルオロフェン−１−イル、２，４−ジフルオロフェン−１−イル、２−若しくは４−クロロフェン−１−イル、２，４−ジクロロフェン−１−イル、２，４−ジメチルフェン−１−イル、３，５−ジメチルフェン−１−イル、２−メトキシ−４−メチルフェン−１−イル、３，５−ジメチル−４−メトキシフェン−１−イル、３，５−ジメチル−４−（ジメチルアミノ）フェン−１−イル、２−若しくは４−アミノフェン−１−イル、２−若しくは４−メチルアミノフェン−１−イル、２−若しくは４−（ジメチルアミノ）フェン−１−イル、２−若しくは４−ＳＯ３  Ｈ−フェン−１−イル、２−若しくは４−ＳＯ３  Ｎａ−フェン−１−イル、２−若しくは４−〔＋  ＮＨ３  Ｃｌ−  〕フェン−１−イル、３，４，５−トリメチルフェン−１−イル又は２，４，６−トリメチルフェン−１−イルである。
【００２３】
Ｒ１２は、好ましくはＣ１  −Ｃ３  アルキル、最も好ましくは、部分的若しくは完全にフッ素化されたＣ１  −Ｃ３  アルキルである。部分的にフッ素化されたＣ１  −Ｃ５  アルキルの代表例は、モノ−ないしデカフルオロペンチル、モノ−ないしオクタフルオロブチル、モノ−ないしヘキサフルオロプロピル、モノ−ないしテトラフルオロエチル並びにモノ−及びジフルオロメチルの位置異性体である。部分的にフッ素化されたアルキル基の中で、式−ＣＦ２  Ｈ及び−ＣＦ２  （Ｃ１  −Ｃ４  アルキル）のそれらが、特に好ましい。Ｒ１２は、最も好ましくは、過フッ素化アルキル基である。このような基の典型例は、パーフルオロペンチル、パーフルオロブチル、パーフルオロプロピル、パーフルオロエチルであり、そして好ましくはトリフルオロメチルである。フッ素化アルキル基は、好ましくは３−、４−及び５−位に位置している。
【００２４】
特に好ましい実施態様においては、Ｒ２  が、４−トリフルオロメチルフェニル又は３，５−ビス（トリフルオロメチル）フェニルである。
【００２５】
ｎが１のとき、Ｒ１３は、好ましくはＣ１  −Ｃ４  アルキル又はＣ１  −Ｃ４  アルコキシである。好ましくはｎは０である。好ましいアルキル基及びアルコキシ基の代表例は、既に上述した通りである。
【００２６】
好ましい実施態様としては、Ｒ３  、Ｒ１０及びＲ１１が、同一であり、かつフェニル、シクロヘキシル、ｔｅｒｔ−ブチル、２−若しくは４−メチルフェン−１−イル、２−若しくは４−メトキシフェン−１−イル、２−若しくは４−（ジメチルアミノ）−フェン−１−イル、３，５−ジメチル−４−（ジメチルアミノ）フェン−１−イル又は３，５−ジメチル−４−メトキシフェン−１−イルである。
【００２７】
Ｒ２  及びＲ３  は、最も好ましくは同一置換基であり、かつ式（ＩＩ）であり、ここで、Ｒ１０及びとＲ１１は、好ましくは同一であり、かつフェニル、シクロヘキシル、ｔｅｒｔ−ブチル、２−若しくは４−メチルフェン−１−イル、２−若しくは４−メトキシフェン−１−イル、２−若しくは４−（ジメチルアミノ）フェン−１−イル、３，５−ジメチル−４−（ジメチルアミノ）フェン−１−イル又は３，５−ジメチル−４−メトキシフェン−１−イルである。
【００２８】
さらに好ましい実施態様としては、Ｒ２  及びＲ３  が、同一置換基であり、かつ式（ＩＩ）の基であり、Ｒ１０が、フェニルであり、そしてＲ１１が、シクロヘキシル、２−若しくは４−メチルフェン−１−イル、４−メトキシフェン−１−イル、４−（ジメチルアミノ）フェン−１−イル、３，５−ジメチル−４−（ジメチルアミノ）フェン−１−イル、３，５−ジメチル−４−メトキシフェン−１−イル又は４−ｔｅｒｔ−ブチルフェン−１−イルである。
【００２９】
Ｒ２  及びＲ３  が同一であり、かつ式（ＩＩ）の基であるとき、Ｒ１  は、最も好ましくはメチルであり、そしてＲ１０及びＲ１１は、フェニル又はシクロヘキシルである。
【００３０】
他の好ましい実施態様としては、Ｒ２  、Ｒ３  、Ｒ１０及びＲ１１が、同一であり、かつ式（ＩＩ）の基である。
【００３１】
式（Ｉ）の化合物は、Ｒ１  が、メチルであり、Ｒ２  、Ｒ３  、Ｒ１０及びＲ１１が、同一であり、かつ式（ＩＩ）の基であり、Ｒ１２が、４−トリフルオロメチル又は３，５−ビス（トリフルオロメチル）であり、そしてｎが、０であるそれらが、非常に特に好適である。他の特に好ましい実施態様としては、Ｒ１  が、メチルであり、Ｒ２  及びＲ３  が、同一であり、かつ式（ＩＩ）の基であり、Ｒ１０及びＲ１１が、フェニルであり、Ｒ１２が、トリフルオロメチル又は３，５−ビス（トリフルオロメチル）であり、そしてｎが、０である。
【００３２】
式（Ｉ）の化合物の特に好ましい例は、典型的には、
｛（Ｒ）−１−〔（Ｓ）−２−ジフェニルホスフィノ）フェロセニル〕｝エチル  ビス（４−トリフルオロメチルフェニル）ホスフィン、
｛（Ｒ）−１−〔（Ｓ）−２−ジフェニルホスフィノ）フェロセニル〕｝エチル  ビス（３，５−ビス（トリフルオロメチル）フェニル）ホスフィン、
｛（Ｒ）−１−〔（Ｓ）−２−ビス（４−トリフルオロメチルフェニル）ホスフィノ）フェロセニル〕｝エチル  ビス（４−トリフルオロメチルフェニル）ホスフィン、
｛（Ｒ）−１−〔（Ｓ）−２−ビス（４−トリフルオロメチルフェニル）ホスフィノ）フェロセニル〕｝エチル  ビス（３，５−ジメチルフェニル）ホスフィン、
｛（Ｒ）−１−〔（Ｓ）−２−ビス（４−トリフルオロメチルフェニル）ホスフィノ）フェロセニル〕｝エチル  ジシクロヘキシルホスフィン、
｛（Ｒ）−１−〔（Ｓ）−２−ビス（３，５−ビス（トリフルオロメチル）フェニル）ホスフィノ）フェロセニル〕｝エチル  ビス（３，５−ジメチルフェニル）ホスフィン、
｛（Ｒ）−１−〔（Ｓ）−２−ビス（３，５−ビス（トリフルオロメチル）フェニル）ホスフィノ）フェロセニル〕｝エチル  ジフェニルホスフィン、及び
｛（Ｒ）−１−〔（Ｓ）−２−ビス（４−トリフルオロメチルフェニル）ホスフィノ）フェロセニル〕｝エチル  ジフェニルホスフィンである。
【００３３】
式（Ｉ）の化合物は、式（ＩＩＩ  ）：
【００３４】
【化１０】
0003625866.tif 000004
【００３５】
（式中、Ｒ１  、Ｒ１０、Ｒ１１及び＊は、上記と同義である）で示される化合物を、不活性溶媒の存在下、室温または上昇した温度で、式（ＩＶ）：
【００３６】
【化１１】
0003625866.tif 000005
【００３７】
（式中、Ｒ１  及びＲ２  は、上記と同義である）で示されるホスフィンと反応させるか、又は式（ＶＩＩ  ）：
【００３８】
【化１２】
0003625866.tif 000006
【００３９】
（式中、Ｒ１  、Ｒ１０、Ｒ１１及び＊は、式（Ｉ）と同義である）で示される化合物を、不活性溶媒の存在下、室温又は上昇した温度で、式（ＩＶ）：
【００４０】
【化１３】
0003625866.tif 000007
【００４１】
（式中、Ｒ１  及びＲ２  は、上記と同義である）で示されるホスフィンと反応させることによって製造される。
【００４２】
この方法は、本発明のもう一つの目的である。
【００４３】
この反応は、それ自体知られており、Ｔ．Ｈａｙａｓｈｉ  らにより  Ｂｕｌｌ．  Ｃｈｅｍ．  Ｓｏｃ．Ｊｐｎ．，５３，  １１３６−１１５１  に記載されている。また、式（ＩＩＩ  ）及び式（ＶＩＩ  ）の化合物のすべての立体異性体の合成も、この文献に記載されているか、又は類似の方法で実施することができる。式（ＩＶ）のホスフィンは、公知であるか、又は類似の方法の知られた方法により得ることができる。
【００４４】
反応温度は、２０から１５０℃の範囲、好ましくは４０から１００℃の範囲であってよい。適切な溶媒は、極性のプロトン性及び非プロトン性溶媒であり、単独又は２種若しくはそれ以上の溶媒の混合物として使用することができる。溶媒の典型例は、メタノール及びエタノールのようなアルカノール並びにギ酸及び酢酸のようなカルボン酸である。
【００４５】
式（Ｉ）の化合物は、式（ＩＩＩ  ）の化合物がラセミ体、立体異性体混同物又は立体異性体として用いられたかに従い、ラセミ体、立体異性体混合物又は立体異性体として得られる。ラセミ体及び立体異性体混合物は、公知の方法によって、好ましくは一般的にはクロマトグラフィの方法により分離することができる。
【００４６】
式（Ｉ）の化合物は、公知の方法、典型的には蒸留、抽出、結晶化及び／又はクロマトグラフィー法によって単離、精製される。
【００４７】
式（Ｉ）の化合物は、ロジウム錯体及びイリジウム錯体の配位子としての用途に適している。その別の特徴として、本発明は、式（Ｖ）及び式（ＶＩ）：
【００４８】
【化１４】
0003625866.tif 000008
【００４９】
（式中、Ｘ１  は、２つのＣ２  −Ｃ１２オレフィン又はＣ５  −Ｃ１２ジエンであり、Ｚは、Ｃｌ、Ｂｒ又はＩであり、Ａ１ −  は、酸素酸又は錯体酸のアニオンであり、Ｍ１  は、Ｒｈ又はＩｒであり、そしてＹは、式（Ｉ）のジホスフィンである）で示される錯体に関する。式（ＶＩ）の錯体が好ましい。
【００５０】
式（Ｉ）のジホスフィンに関して、同じような好適例及び例を、前述の通りに提示できる。オレフィンとしてのＸ１  は、好ましくは２から６個、最も好ましくは２から４個の炭素原子を有する。特にエチレンが好ましい。さらなる例はプロペン及び１−ブテンである。ジエンとしてのＸ１  は、好ましくは５から８個の炭素原子を有する。ジエンは、開鎖又は一環式又は二環式のジエンである。ジエンの２つのオレフィン基は、１又は２個のＣＨ２  基を介して連結しているのが好ましい。典型例は、１，３−ペンタジエン、シクロペンタジエン、１，５−ヘキサジエン、１，４−シクロヘキサジエン、１，４−若しくは１，５−ヘプタジエン、１，４−若しくは１，５−シクロヘプタジエン、１，４−若しくは１，５−オクタジエン、１，４−若しくは１，５−シクロオクタジエン又はノルボルナジエンである。Ｘ１  は、２個のエチレン、１，５−ヘキサジエン、１，５−シクロオクタジエン又はノルボルナジエンであるのが好ましい。
【００５１】
式（Ｖ）中のＺは、好ましくはＣｌ又はＢｒである。式（ＶＩ）中のＡ１ −  の典型例は、ＣｌＯ４ −  、ＦＳＯ３ −  、ＣＨ３  ＳＯ３ −  、ＣＦ３  ＳＯ３ −  、ＢＦ４ −  、ＰＦ６ −  、ＳｂＣｌ６ −  、ＡｓＦ６ −  及びＳｂＦ６ −  である。好ましくは、Ａ１ −  は、ＣｌＯ４ −  、ＣＦ３  ＳＯ３ −  、ＢＦ４ −  、ＰＦ６ −  及びＳｂＦ６ −  である。
【００５２】
この新規な錯体は、式（Ｉ）の化合物の等モル量を、式：〔Ｍ１  （Ｘ１  ）Ｚ〕２  又はＭ１  （Ｘ１  ）２ ＋  Ａ１ −  （ここで、Ｍ１  、Ｘ１  、Ｚ及びＡ１ −  は、上記と同義である）で示される金属錯体と反応させることによって、それ自体公知の方法で得ることができる。金属錯体は、公知であり、それに関連してとりわけＥＰ−Ａ−０  ３０２  ０２１及びＵＳ−Ａ−５  ０１１  ９９５で言及されている。
【００５３】
反応は、不活性ガス、典型的にはアルゴン雰囲気下で好都合に行われ、好都合には０〜４０℃の温度範囲、好ましくは室温で行われる。単一溶媒又は混合溶媒を（不活性ガス）と同時に使用することが有利であり、好都合には、炭化水素（ベンゼン、トルエン、キシレン）、ハロゲン化炭化水素（塩化メチレン、クロロホルム、クロロベンゼン）、アルカノール（メタノール、エタノール、２−メトキシエタノール）及びエーテル（ジエチルエーテル、ジブチルエーテル、１，２−ジメトキシエタン、テトラヒドロフラン、ジオキサン）、又はその混合物からなる群より選ばれる。この新規な錯体は、通常の方法によって分離、精製するか、又は水素化に先だってその場所で調製し、次いで水素化触媒として直接に溶解状態で使用することができる。
【００５４】
この新規な錯体は、炭素二重結合及び炭素／ヘテロ原子二重結合を有するプロキラルな化合物、典型的にはＣ＝Ｃ、Ｃ＝Ｎ、Ｃ＝Ｏ、Ｃ＝Ｃ−Ｎ又はＣ＝Ｃ−Ｏ〔Ｋ．Ｅ．Ｋｏｎｉｇ，Ｔｈｅ  Ａｐｐｌｉｃａｂｉｌｉｔｙ  ｏｆ  Ａｓｙｍｍｅｔｒｉｃ  Ｈｏｍｏｇｅｎｅｏｕｓ  Ｃａｔａｌｙｓｉｓ，ｉｎ  Ｊａｍｅｓ  Ｄ．Ｍｏｒｒｉｓｏｎ（ｅｄ．），Ａｓｙｍｍｅｔｒｉｃ  Ｓｙｎｔｈｅｓｉｓ，Ｖｏｌ．５，Ａｃａｄｅｍｉｃ  Ｐｒｅｓｓ，１９８５〕から選ばれる基を有する化合物を、エナンチオ選択的に水素化するための均一系触媒として使用するのに極めて適している。このような化合物の例は、プロキラルなオレフィン、エナミン、イミン及びケトンである。正常な化学量論的転換でさえ、短い反応時間で、驚くほど高い収率が得られる。特に驚くべきことは、この新規錯体で得られる非常に高い光学的収率である。エナンチオマー過剰（ｅｅ）は、９０％以上であることができる。式（Ｖ）及び式（ＶＩ）の錯体の、ラセミ体、立体異性体混合物又は立体異性体を使用することができ、立体異性体混合物又は立体異性体が好ましい。
【００５５】
その別の特徴として、本発明は、炭素二重結合又は炭素／ヘテロ原子二重結合を有するプロキラルな化合物、特にＣ＝Ｃ、Ｃ＝Ｎ、Ｃ＝Ｏ、Ｃ＝Ｃ−Ｎ又はＣ＝Ｃ−Ｏ基を有するものを不斉水素化するための均一系触媒としての、式（Ｖ）及び式（ＶＩ）の新規錯体の用途に関する。好ましい用途は、不斉炭素二重結合、ケチミン及びケトンを水素化するためのものである。イリジウム錯体の形態における式（Ｖ）及び式（ＶＩ）の触媒は、プロキラルなＮ−アリルケチミンを水素化して光学活性な第２アミンとするに好適である。ロジウム錯体の形態における式（Ｖ）及び式（ＶＩ）の触媒は、炭素二重結合、例えばプロキラルな炭素二重結合を水素化する場合に好適に使用される。
【００５６】
その特徴のさらに別のものとして、本発明は、炭素二重結合又は炭素／ヘテロ原子二重結合を有するプロキラルな化合物を、均一系反応条件下で不斉水素化する方法を提供するものであり、この方法は、−２０から＋８０℃の温度範囲で、また水素圧１０４  から１０７  Ｐａで、式（Ｖ）又は式（ＶＩ）の錯体の触媒量の存在で、前記化合物を水素化することを含む。
【００５７】
好ましいプロキラルな化合物は、前述した通りである。不斉ケチミン及びケトンは知られている。適切なＮ−アリルケチミンは、とりわけＥＰ−Ａ−０  ２５６  ９８２に開示されている。Ｎ−脂肪族ケチミンは、とりわけＥＰ−Ａ−０  ３０１  ４５７に開示されている。このようなイミンは、相当する不斉ケトンから合成できることが知られ、商業的に入手することもでき、又は公知の方法で得ることもできる。適当な置換アルケンは、上述したＫ．Ｅ．Ｋｅｏｎｉｇの文献に記載されている。
【００５８】
この方法は、−１０から５０℃の温度範囲、及び好ましくは１×１０５  から６×１０６  Ｐａの水素圧範囲で行われる。
【００５９】
触媒の量は、好ましくは水素化するべき化合物（基質）の式（Ｖ）又は式（ＶＩ）の化合物に対するモル比が、好ましくは１０００００から２０、より好ましくは２００００から４０、最も好ましくは１０００から５０となるように選択される。
【００６０】
反応を行う好適な方法は、特に新規イリジウム触媒を使用する際には、アンモニウム若しくはアルカリ金属の、塩化物、臭化物又はヨウ化物を付加的に同時使用することを含む。この量は、典型的には、式（Ｖ）又は式（ＶＩ）の錯体に基づいて、０．１から１００、好ましくは１から５０、最も好ましくは２から２０当量である。ヨウ化物の添加が好ましい。アンモニウムは、アルキル基中に１から６個の炭素原子を有するテトラアルキルアンモニウムが好ましく、好ましいアルカリ金属は、リチウム、ナトリウム及びカリウムである。
【００６１】
水素化は、溶媒の存在又は不存在で行われる。単独又は混合して使用できる適当な溶媒は、典型的には、脂肪族及び芳香族炭化水素（ペンタン、ヘキサン、シクロヘキサン、メチルシクロヘキサン、ベンゼン、トルエン、キシレン）、メタノール、エタノール、プロパノール及びブタノールのようなアルコール、ジエチルエーテル、２−メトキシエチルエーテル、１，２−ジメトキシエタン、テトラヒドロフラン、ジオキサンのようなエーテル、塩化メチレン、クロロホルム、１，１，２，２−テトラクロロエタン及びクロロベンゼンのようなハロゲン化炭化水素、酢酸エチル、ブチロラクトン又はバレロラクトンのようなエステル及びラクトン、並びにジメチルホルムアミド、ジメチルアセトアミド、Ｎ−メチルピロリドンのようなカルボキシアミド及びラクタムである。好ましい混合物は、アルコールと芳香族炭化水素のそれであり、典型的にはメタノール／ベンゼン又はメタノール／トルエンである。好適な溶媒は、メタノールそれ自身又はベンゼン若しくはトルエンとの混合物である。
【００６２】
この新規な水素化反応によって、生物学的に活性な化合物の合成における有用な中間物、特に製薬学的及び農薬学的な領域で有用な中間物である光学的に純粋な化合物を得ることが可能となる。このように、例えば雑草の制御に使われる除草活性な５−イミダゾールカルボン酸誘導体（ＥＰ−Ａ−０  ２０７  ５６３）は、第二級アミン、特にＮ−カルバルコキシメチルアミンから合成される。光学的に純粋なα−アミノカルボン酸は、ペプチドの合成に適している。有用な合成成分である光学的に純粋なアミノカルボン酸は、不飽和アミノカルボン酸から得ることができる。
【００６３】
以下に示す実施例は、本発明をより詳細に説明するためのものである。化学転換率は、ガスクロマトグラフィー〔カラムＤＢ  １７／３０Ｗ（１５ｍ）、ＪＣＷ  Ｓｃｉｅｎｔｉｆｉｃ  Ｉｎｃ．，ＵＳＡ  製、温度プログラム：２２０℃まで６０℃／１分、△Ｔ：１０°／ｍｉｎ  〕によって測定した。光学的収率（エナンチオマー過剰（ｅｅ））の測定は、ガスクロマトグラフィー〔カラム  Ｃｈｉｒａｓｉｌ−Ｖａｌ、５０ｍ、ＦＳ−Ｌｉｐｏｄｅｘ（５０ｍ）〕又はＨＰＬＣ（固定相：Ｃｈｉｒａｌｃｅｌ  ＯＤ）によって行った。
【００６４】
【実施例】
式（Ｉ）の化合物の合成
実施例Ａ１：｛（Ｒ）−１−〔（Ｓ）−２−ジフェニルホスフィノ）フェロセニル〕｝エチル  ビス（４−トリフルオロメチルフェニル）ホスフィン（Ａ）
１．２  ｇ（２．７３ｍｍｏｌ）のＮ−｛（Ｒ）−１−〔（Ｓ）−ジフェニルホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い調製した〕、２５ｍｌの酢酸及び１  ｇ（３．１ｍｍｏｌ）のビス（４−トリフルオロメチルフェニル）ホスフィンを、アルゴン雰囲気下で、５０ｍｌのシュレンクフラスコに、連続的に充填し、混合物を１００℃で撹拌しながら６０分加熱した。次いで、粗生成物を水／トルエンで抽出した。有機相を硫酸マグネシウムで乾燥し、溶媒をロータリーエバポレーターで留去した。残留物をシリカゲル（溶媒：ヘキサン／ジクロロメタン（４：１））によるクロマトグラフィに付した。粗生成物を熱エタノールから再結晶し、１．４９  ｇのＡ（収率７６％）を、オレンジ色−黄色の結晶物質として得た。
３１Ｐ−ＮＭＲ（ＣＤＣｌ３）：−２６．４（ｄ，Ｊ＝２４），６．６（ｄ，Ｊ＝２４）
【００６５】
実施例Ａ２：｛（Ｒ）−１−〔（Ｓ）−２−ジフェニルホスフィノ）フェロセニル〕｝エチル  ビス（３，５−ビス（トリフルオロメチル）フェニル）ホスフィン（Ｂ）
反応条件を次のように変えた以外は、実施例Ａ１と同じ操作を繰り返した。
０．８５  ｇ（１．９２ｍｍｏｌ）のＮ−｛（Ｒ）−１−〔（Ｓ）−ジフェニルホスフィノ）フェロセニル〕｝エチル  ジメチルアミン、１．０  ｇ（２．１８ｍｍｏｌ）のビス（３，５−ビス（トリフルオロメチル）フェニル）ホスフィン及び１７ｍｌの酢酸を反応させ、１．３０  ｇのＢ（収率：８０％）を、オレンジ色の結晶物質として得た。
３１Ｐ−ＮＭＲ（ＣＤＣｌ３）：−２７．４（ｄ，Ｊ＝３０），８．８（ｄ，Ｊ＝３０）
【００６６】
実施例Ａ３：｛（Ｒ）−１−〔（Ｓ）−２−ビス（４−トリフルオロメチルフェニル）ホスフィノ）フェロセニル〕｝エチル  ビス（４−トリフルオロメチルフェニル）ホスフィン（Ｃ）
反応条件を次のように変えた以外は、実施例Ａ１と同じ操作を繰り返した。
４．２８  ｇ（７．４２ｍｍｏｌ）のＮ−｛（Ｒ）−１−〔（Ｓ）−ビス（４−トリフルオロメチルフェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い、Ｎ−〔（Ｒ）−１−フェロセニル〕エチル  ジメチルアミンとビス（４−トリフルオロメチルフェニル）ホスフィン  クロライドから調製した〕、２．７５  ｇ（８．５３ｍｍｏｌ）のビス（４−トリフルオロメチルフェニル）ホスフィン及び５５ｍｌの酢酸を反応させて、５．８９  ｇのＣ（収率：９３％）を得た。
３１Ｐ−ＮＭＲ（ＣＤＣｌ３）：−２５．７（ｄ，Ｊ＝３０），８．４（ｄ，Ｊ＝３０）
【００６７】
実施例Ａ４：｛（Ｒ）−１−〔（Ｓ）−２−ビス（４−トリフルオロメチルフェニル）ホスフィノ）フェロセニル〕｝エチル  ビス（３，５−ジメチルフェニル）ホスフィン（Ｄ）
反応条件を次のように変えた以外は、実施例Ａ１と同じ操作を繰り返した。
１．２１  ｇ（２．１ｍｍｏｌ）のＮ−｛（Ｒ）−１−〔（Ｓ）−ビス（４−トリフルオロメチルフェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い、Ｎ−〔（Ｒ）−１−フェロセニル〕エチル  ジメチルアミンとビス（４−トリフルオロメチルフェニル）ホスフィン  クロライドから調製した〕、０．５３  ｇ（２．２ｍｍｏｌ）のビス（３，５−ジメチルフェニル）ホスフィン及び１５ｍｌの酢酸を反応させて、４６０ｍｇのＤを、オレンジ色の結晶物質として得た（収率：２８％）。
３１Ｐ−ＮＭＲ（ＣＤＣｌ３）：−２４．７（ｄ，Ｊ＝２３），８．７（ｄ，Ｊ＝２３）
【００６８】
実施例Ａ５：｛（Ｒ）−１−〔（Ｓ）−２−ビス（４−トリフルオロメチルフェニル）ホスフィノ）フェロセニル〕｝エチル  ジシクロヘキシルホスフィン（Ｅ）
反応条件を次のように変えた以外は、実施例Ａ１と同じ操作を繰り返した。
１．７３  ｇ（３．０ｍｍｏｌ）のＮ−｛（Ｒ）−１−〔（Ｓ）−ビス（４−トリフルオロメチルフェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い、Ｎ−〔（Ｒ）−１−フェロセニル〕エチル  ジメチルアミンとビス（４−トリフルオロメチルフェニル）ホスフィン  クロライドから調製した〕、０．６９  ｇ（３．４ｍｍｏｌ）のジシクロヘキシルホスフィン及び２０ｍｌの酢酸を反応させて、１．６９  ｇのＥを、オレンジ色の結晶物質として得た（収率：７７％）。
３１Ｐ−ＮＭＲ（ＣＤＣｌ３）：−２５．５（ｄ，Ｊ＝４２），１５．６５（ｄ，Ｊ＝４２）
【００６９】
実施例Ａ６：｛（Ｒ）−１−〔（Ｓ）−２−ビス（３，５−ビス（トリフルオロメチル）フェニル）ホスフィノ）フェロセニル〕｝エチル  ビス（３，５−ジメチルフェニル）ホスフィン（Ｆ）
反応条件を次のように変えた以外は、実施例Ａ１と同じ操作を繰り返した。
１．０７  ｇ（１．５ｍｍｏｌ）のＮ−｛（Ｒ）−１−〔（Ｓ）−ビス（３，５−ビス（トリフルオロメチル）フェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い調製した〕、０．４１  ｇ（１．７ｍｍｏｌ）のビス（３，５−ジメチルフェニル）ホスフィン及び１５ｍｌの酢酸を反応させて、０．９５  ｇのＦ（理論値の６９．３％）を、オレンジ色の結晶物質として得た。
３１Ｐ−ＮＭＲ（ＣＤＣｌ３）：−２２．８（ｄ，Ｊ＝３５），１１．７（ｄ，Ｊ＝３５）
【００７０】
実施例Ａ７：｛（Ｒ）−１−〔（Ｓ）−２−ビス（３，５−ビス（トリフルオロメチル）フェニル）ホスフィノ）フェロセニル〕｝エチル  ジフェニルホスフィン（Ｇ）
反応条件を次のように変えた以外は、実施例Ａ１と同じ操作を繰り返した。
１．０  ｇ（１．４ｍｍｏｌ）のＮ−｛（Ｒ）−１−〔（Ｓ）−ビス（３，５−ビス（トリフルオロメチル）フェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い調製した〕、０．３  ｇ（１．６ｍｍｏｌ）のジフェニルホスフィン及び１４ｍｌの酢酸を反応させて、１．１  ｇのＧ（理論値の９１．７％）を、オレンジ色の結晶物質として得た。
３１Ｐ−ＮＭＲ（ＣＤＣｌ３）：−２２．９（ｄ，Ｊ＝３６），１０．７（ｄ，Ｊ＝３６）
【００７１】
実施例Ａ８：｛（Ｒ）−１−〔（Ｓ）−２−ビス（３，５−ビス（トリフルオロメチル）フェニル）ホスフィノ）フェロセニル〕｝エチル  ビス（３−メトキシフェニル）ホスフィン（Ｈ）
反応条件を次のように変えた以外は、実施例Ａ１と同じ操作を繰り返した。
１．０  ｇ（１．４ｍｍｏｌ）のＮ−｛（Ｒ）−１−〔（Ｓ）−ビス（３，５−ビス（トリフルオロメチル）フェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い調製した〕、０．３９  ｇ（１．６ｍｍｏｌ）のビス（３−メトキシフェニル）ホスフィン及び１５ｍｌの酢酸を反応させて、０．３７  ｇのＨ（理論値の３０．５％）を、オレンジ色のレジン（これは、後にエーテルから泡状になる）として得た。
３１Ｐ−ＮＭＲ（ＣＤＣｌ３）：−２３．０（ｄ，Ｊ＝３３），１２．２（ｄ，Ｊ＝３３）
【００７２】
実施例Ａ９：｛（Ｒ）−１−〔（Ｓ）−２−ビス（３，５−ジメチルフェニル）ホスフィノ）フェロセニル〕｝エチル  ビス（３，５−ビス（トリフルオロメチル）フェニル）ホスフィン（Ｉ）
反応条件を次のように変えた以外は、実施例Ａ１と同じ操作を繰り返した。
１．０  ｇ（２．０ｍｍｏｌ）のＮ−｛（Ｒ）−１−〔（Ｓ）−ビス（３，５−ジメチルフェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い調製した〕、１．０５  ｇ（２．３ｍｍｏｌ）のビス（３，５−ビス（トリフルオロメチル）フェニル）ホスフィン及び１５ｍｌの酢酸を反応させて、３１０ｍｇのＩ（理論値の１７％）を、オレンジ色の結晶物質として得た。
３１Ｐ−ＮＭＲ（ＣＤＣｌ３）：−２７．１（ｄ，Ｊ＝３０），９．３（ｄ，Ｊ＝３０）
【００７３】
実施例Ａ１０：｛（Ｒ）−１−〔（Ｓ）−２−ビス（４−トリフルオロメチルフェニル）ホスフィノ）フェロセニル〕｝エチル  ジフェニル）ホスフィン（Ｊ）
反応条件を次のように変えた以外は、実施例Ａ１と同じ操作を繰り返した。
１．０４  ｇ（１．８ｍｍｏｌ）のＮ−｛（Ｒ）−１−〔（Ｓ）−ビス（４−トリフルオロメチルフェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い調製した〕、０．３７  ｇ（１．８ｍｍｏｌ）のジフェニルホスフィン及び１５ｍｌの酢酸を反応させて、１．０３  ｇのＪ（理論値の８０％）を、オレンジ色の結晶物質として得た。
３１Ｐ−ＮＭＲ（ＣＤＣｌ３）：−２５．０（ｄ，Ｊ＝２７），８．４（ｄ，Ｊ＝２７）
【００７４】
実施例Ａ１１：｛（Ｒ）−１−〔（Ｓ）−２−ビス（４−トリフルオロメチルフェニル）ホスフィノ）フェロセニル〕｝エチル  ビス（４−ターシャリ−ブチルフェニル）ホスフィン（Ｋ）
反応条件を次のように変えた以外は、実施例Ａ１と同じ操作を繰り返した。
１．１５  ｇ（１．９ｍｍｏｌ）のＮ−｛（Ｒ）−１−〔（Ｓ）−ビス（４−トリフルオロメチルフェニル）ホスフィノ）フェロセニル〕｝エチル  ジメチルアミン〔Ｂｕｌｌ．Ｃｈｅｍ．Ｓｏｃ．Ｊｐｎ．，５３，  １１３８  （１９８０）に従い調製した〕、０．７  ｇ（２．１ｍｍｏｌ）のビス（４−ｔｅｒｔ−ブチルフェニル）ホスフィン及び１５ｍｌの酢酸を反応させて、１７０ｍｇのＫ（理論値１０％）を、オレンジ色の結晶物質として得た。
３１Ｐ−ＮＭＲ（ＣＤＣｌ３）：−２４．５（ｄ，Ｊ＝３０），６．６（ｄ，Ｊ＝３０）
【００７５】
使用例
実施例Ｂ１：Ｎ−（２’−メチル−６’−エチル−フェン−１’−イル）−Ｎ−（１−メトキシメチル）−エチルアミンの合成
２４．１  ｇ（０．０３３ｍｍｏｌ）のＡを、１０．２ｍｇ（０．０１５ｍｍｏｌ）の〔Ｉｒ（１，５−シクロオクタジエン）Ｃｌ〕２  のテトラヒドロフランと塩化メチレンの３：１混合溶液１０ｍｌに加え、混合物を１５分間撹拌した。独立して、５ｍｌ（２．４ｍｍｏｌ）のＮ−（２’−メチル−６’−エチルフェン−１’−イル）−Ｎ−（１−メトキシメチル）エタ−１−イリデン−アミンを、１０ｍｌのテトラヒドロフラン／塩化メチレン（３：１）に溶解した。このイミン及び触媒溶液を、不活性ガス雰囲気下で５０ｍｌのスチール製オートクレーブに、スチール製キャピラリーによって連続的に注入した。３回のサイクル（２０バール、常圧）を繰り返して、不活性ガスを水素で追いだした。次いで、２５バールで水素化を行い、オートクレーブを３０℃に加熱した。反応を、６時間後に中止した。化学的転換率は１００％であり、光学的な収率は５６％（Ｓ）であった。
【００７６】
実施例Ｂ２：Ｎ−（２’−メチル−６’−エチルフェン−１’−イル）−Ｎ−（１−メトキシメチル）−エチルアミンの合成
１０．２  ｇ（０．０１５ｍｍｏｌ）の〔Ｉｒ（１，５−シクロオクタジエン）Ｃｌ〕２  及び２８．５ｍｇ（０．０３３ｍｌ）のＢとの混合物を、５ｍｌ（２４ｍｍｏｌ）のＮ−（２’−メチル−６’−エチルフェン−１’−イル）−Ｎ−（１−メトキシメチル）エタ−１−イリデン−アミンの相で覆い、次いで、スチール製キャピラリーで５０ｍｌオートクレーブに移送した。さらに実施例Ｂ１の操作を行った。
反応を、６時間後に中止した。化学的転換率は８７％であり、エナンチオマー純度は６２％（Ｓ）であった。
【００７７】
表１及び表２の実施例Ｂ３−Ｂ１７は、実施例Ｂ１に記載した方法にしたがって行ったものである。
以下の略語は、表１及び２で用いたものである。
Ｒｈ＋  ＝〔Ｒｈ（ノルボルナジエン）２  〕ＢＦ４
Ｒｈ０  ＝〔Ｒｈ（ノルボルナジエン）Ｃｌ〕２
Ｉｒ０  ＝〔Ｉｒ（１，５−シクロオクタジエン）Ｃｌ〕２
Ｓ１：メチル−Ｚ−２−アセトアミドシンナメート
Ｓ２：Ｚ−２−アセトアミドシンナミック酸
Ｓ３：ジメチル  イタコネート
Ｓ４：メチル  アセチルアセテート
Ｓ５：エチル  ピルベート
Ｓ６：Ｎ−（２’−メチル−６’−エチルフェン−１’−イル）−Ｎ−（１−メトキシメチル）エタ−１−イリデン−アミン
Ｍ／Ｔ：ＭｅＯＨ／トルエン（１：１）
＊）１５０ｍｇのテトラブチルアンモニウム  イオダイドの付加
【００７８】
【表１】
0003625866.tif 000009
【００７９】
【表２】
0003625866.tif 000010